(57)【特許請求の範囲】
【請求項１】
行方向に複数形成され、ゲート電圧を伝達するゲートラインと、列方向に複数形成され、信号電圧を伝達するドレインラインと、行方向に複数形成される補助容量ラインと、    前記ゲートライン及び前記ドレインラインの交点に対応して配置されるスイッチング素子と、前記スイッチング素子を介してドレインラインに接続される画素電極と、前記補助容量ラインに連結され、前記画素電極と共に信号電圧を保持する補助容量とを有するアクティブマトリクス型表示装置において、
前記補助容量ラインは、前記画素電極が配置される表示領域内において列方向に形成される補助容量連結ラインによって、他の前記補助容量ラインと電気的に接続され、前記アクティブマトリクス型表示装置は、赤、緑、青の三原色によるカラー表示を行うアクティブマトリクス型表示装置であり、前記補助容量連結ラインは、特定の色を表示する画素電極を有する画素領域にのみ選択的に形成されることを特徴とするアクティブマトリクス型表示装置。
【請求項２】
前記特定の色は緑であることを特徴とする請求項１に記載のアクティブマトリクス型表示装置。
【請求項３】
前記補助容量連結ラインは、全ての前記補助容量ラインに接続されることを特徴とする請求項１または請求項２のいずれかに記載のアクティブマトリクス型表示装置。
【請求項４】
１本の前記補助容量ラインは少なくとも１本の前記補助容量連結ラインに接続されていることを特徴とする請求項１または請求項２のいずれかに記載のアクティブマトリクス型表示装置。
【請求項５】
前記補助容量ラインは、前記ゲートラインと同じ層に形成され、前記補助容量連結ラインは、前記ドレインラインと同じ層に形成されることを特徴とする請求項１乃至請求項４のいずれかに記載のアクティブマトリクス型表示装置。
【請求項６】
前記表示領域の外部に、前記補助容量ラインの端部に電気的に接続された補助容量バスラインを有し、前記補助容量連結ラインは、前記補助容量バスラインに電気的に接続されることを特徴とする請求項１乃至請求項５のいずれかに記載のアクティブマトリクス型表示装置。
【発明の詳細な説明】
【０００１】
【発明の属する技術分野】
本発明は、アクティブマトリクス型表示装置に関する。
【０００２】
【従来の技術】
薄膜トランジスタ（Thin Film Transistor：以下、「ＴＦＴ」と称する。）等をスイッチング素子として用いたアクティブマトリクス型表示装置は、画素領域ごとに設けられた光学的変換素子に信号電圧を加え、輝度を変化させることによって映像を表示する表示装置であり、光学的変換素子には、例えば液晶やエレクトロルミネッセンス素子が用いられている。
【０００３】
図７及び図８に、従来のアクティブマトリクス型液晶表示装置を示す。図７は、従来のアクティブマトリクス型液晶表示装置の平面図であり、図８は、その等価回路図である。
【０００４】
アクティブマトリクス型液晶表示装置１は、ビデオデータライン２Ｒ、２Ｇ、２Ｂと、ゲートドライバ３及びドレインドライバ４と、補助容量バスライン５と、表示領域６で構成されている。ドレインドライバ４は、シフトレジスタ７及び列選択スイッチ８で構成されている。表示領域６は、ゲートドライバ３から延びるゲートライン９と、ドレインドライバ４から延びるドレインライン１０と、補助容量バスライン５から行方向に延びる補助容量ライン１１と、画素領域１２で構成されている。画素領域１２は、ゲートライン９及びドレインライン１０に囲まれた領域であり、１つの画素領域１２につき、ＴＦＴ１３と、画素電極１４と、補助容量１５が設けられている。補助容量１５は、半導体層１３ｓに一体化して形成される補助容量電極１５ａ及び補助容量ライン１１に一体化して連結される補助容量１５ｂで構成されている。
【０００５】
ビデオデータライン２Ｒ、２Ｇ、２Ｂは、それぞれＲ（赤）、Ｇ（緑）、Ｂ（青）の信号電圧をドレインドライバ４に伝達する配線である。ゲートドライバ３は、時分割的に一定の電圧（ゲート電圧）を供給するゲートライン９を選択する回路である。ドレインドライバ４は、シフトレジスタ７及び列選択スイッチ８からなり、ビデオデータライン２Ｒ、２Ｇ、２Ｂによって伝達された信号電圧を、シフトレジスタ７により選択されたドレインライン１０の列選択スイッチ８をＯＮにして、そのドレインライン１０に信号電圧を伝達する。補助容量バスライン５は、アルミニウム（Ａｌ）からなり、表示領域６の外部において、補助容量ライン１１の端部とコンタクトを介して接続され、全ての補助容量ライン１１を連結する。表示領域６は、複数の画素領域１２を有し、画像を表示する領域である。シフトレジスタ７は、ドレインライン１０を選択し、ビデオデータライン２Ｒ、２Ｇ、２Ｂによって伝達された信号電圧を供給する回路である。列選択スイッチ８は、シフトレジスタ７の選択の有無によってドレインライン１０の電流を制御するスイッチである。ゲートライン９は、クロム（Ｃｒ）からなり、ゲートドライバ３から行方向に延びる配線であり、ゲートライン９から分岐してＴＦＴ１３のゲート１３ｇが形成されている。ゲートドライバ３に選択されたゲートライン９は、選択されたゲートライン９それから分岐したＴＦＴ１３のゲート１３ｇにゲート電圧を伝達する。ドレインライン１０は、補助容量バスライン５と同じ層のアルミニウム（Ａｌ）で形成されてドレインドライバ４から列方向に延びる配線であり、コンタクトを介してＴＦＴ１３のドレインに電気的に接続され、信号電圧をＴＦＴ１３に伝達するている。補助容量ライン１１は、ゲートライン９と同じ層のクロム（Ｃｒ）から形成され、行方向に並ぶ補助容量電極１５ｂに一体化して連結されている。画素領域１２は、１つの画素を表示する領域であり、ＴＦＴ１３及び画素電極１４及び補助容量１５が配置されている。ＴＦＴ１３は、ゲートライン９から分岐したゲート１３ｇ及び半導体層１３ｓからなり、画素電極１４及び補助容量１５へ信号電圧を供給する電流のＯＮ／ＯＦＦを切り換える。画素電極１４は、供給された信号電圧によって液晶を駆動し、映像を表示させる。補助容量１５は、ＴＦＴ１３の半導体層１３ｓに一体化して形成された補助容量電極１５ａと、補助容量ライン１１に一体化して連結された補助容量電極１５ｂとからなる容量であり、画素電極１４とともにと共に供給された信号電圧を保持する。
【０００６】
画像を表示する際、ゲートドライバ３により、ゲートライン９に対し、順次選択的にゲート電圧が印加される。あるゲートライン９にゲート電圧が印加されている間に、シフトレジスタ７によって、ドレインライン１０の列選択スイッチ８が順次選択的にＯＮ状態になり、信号電圧を伝達していく。そして、ゲートライン９及びドレインライン１０共に電圧が印加されている画素領域１２内のＴＦＴ１３に接続された画素電極１４及び補助容量１５にのみ、信号電圧が印加される。一定時間を経過すると選択されていたドレインライン１０の列選択スイッチ８がＯＦＦ状態になり、次に選択されるドレインライン１０の列選択スイッチ８がＯＮ状態になり、同様の動作が行われる。次に、画素電極１４は、供給された信号電圧によって液晶を駆動し、信号電圧に応じた輝度で表示を行う。また、画素電極１４は、信号電圧の印加が終わっても、次に信号電圧が印加されるとき、即ち、次のフレームまで、補助容量１５と共に信号電圧を保持する。
【０００７】
画素の増加に伴って、現在、複数のドレインライン１０の列選択スイッチ８を同時にＯＮ状態にして、同時に複数の画素電極１４に対して信号電圧を印加する方法が行われている。これにより、ドレインライン１０が画素電極１４に信号電圧を印加する時間を十分確保することができる。図８においては、３本のドレインライン１０の列選択スイッチ８が同時にＯＮ状態になっている。
【０００８】
特に、大型または高精細の表示パネルを点順次駆動するときには、数十本のドレインライン１０を同時にＯＮ状態にして、数十の画素電極１４に対して同時に信号電圧を印加する。このように、数十本のドレインライン１０の列選択スイッチ８が同時にＯＮ状態になると、選択されているドレインライン１０と、補助容量ライン１１とが交差する部分において、大きな容量結合が発生する。この容量結合によって、補助容量ライン１１やゲートライン９の電圧が、ドレインライン１０の電圧の影響を受けて変動してしまう。この電圧変化により、同時に列選択スイッチ８がＯＮ状態になるドレインライン１０を単位に画像のムラが発生することがある。このムラを解消するため、ドット反転駆動及び垂直反転駆動により、行方向に隣り合う画素電極１４若しくはドレインライン１０に互いに逆極性の電圧を印加するようにして、補助容量ライン１１やゲートライン９の電圧が容量結合の影響を受けにくい回路構造にしていた。
【０００９】
【発明が解決しようとする課題】
しかし、ドット反転駆動及び垂直反転駆動は、行方向に隣り合う画素に同じ極性の電圧を印加する水平反転駆動や、対向電極の電圧の極性を一定時間毎に逆転させる対極ＡＣ（交流）駆動においては、原理上実施することができないため、画像のムラを解消することができない。特に、対極ＡＣ駆動は表示パネルの低消費電力化に有効であるため、行方向に隣り合う画素に同じ極性の電圧を印加する方式においても、画像のムラの解消が求められている。また、ドット反転駆動及び垂直反転駆動は回路構成が複雑となるため、不良品や故障の発生率が高く、歩留まりの低下を招いていた。
【００１０】
【課題を解決するための手段】
本発明は、以上の課題を解決するためになされたものであり、行方向に複数形成され、ゲート電圧を伝達するゲートラインと、列方向に複数形成され、信号電圧を伝達するドレインラインと、行方向に複数形成される補助容量ラインと、前記ゲートライン及び前記ドレインラインの交点に対応して配置されるスイッチング素子と、前記スイッチング素子を介してドレインラインに接続される画素電極と、前記補助容量ラインに連結され、前記画素電極と共に信号電圧を保持する補助容量とを有するアクティブマトリクス型表示装置において、前記補助容量ラインは、前記画素電極が配置される表示領域内において列方向に形成される補助容量連結ラインによって、他の前記補助容量ラインと電気的に接続されるアクティブマトリクス型表示装置である。
【００１１】
さらに、前記補助容量連結ラインは、隣り合う前記ドレインラインの間に形成されているアクティブマトリクス型表示装置である。
【００１２】
さらに、前記補助容量連結ラインは、全ての前記画素領域に形成されているアクティブマトリクス型表示装置である。
【００１３】
さらに、前記補助容量連結ラインは、全ての前記ドレインラインの隣に形成されているアクティブマトリクス型表示装置である。
【００１４】
または、前記補助容量連結ラインは、複数本の前記ドレインラインにつき１本の前記ドレインラインの隣に形成されているアクティブマトリクス型表示装置である。
【００１５】
さらに、前記補助容量連結ラインは、全ての前記補助容量ラインに接続されるアクティブマトリクス型表示装置である。
【００１６】
または、１本の前記補助容量ラインは少なくとも１本の前記補助容量連結ラインに接続されているアクティブマトリクス型表示装置である。
【００１７】
さらに、前記アクティブマトリクス型表示装置は、赤、緑、青の三原色によるカラー表示を行うアクティブマトリクス型表示装置であり、前記補助容量連結ラインは、緑を表示する画素電極を有する画素領域にのみ形成されるアクティブマトリクス型表示装置である。
【００１８】
さらに、前記補助容量ラインは、前記ゲートラインと同じ層に形成され、前記補助容量連結ラインは、前記ドレインラインと同じ層に形成されるアクティブマトリクス型表示装置である。
【００１９】
さらに、前記表示領域の外部に、前記補助容量ラインの端部に電気的に接続された補助容量バスラインを有し、前記補助容量連結ラインは、前記補助容量バスラインに電気的に接続されるアクティブマトリクス型表示装置である。
【００２０】
【発明の実施の形態】
本発明の第１の実施形態について、図１及び図２を用いて説明する。図１は、第１の実施形態にかかるアクティブマトリクス型液晶表示装置の平面図であり、図２は、その等価回路図である。
【００２１】
アクティブマトリクス型液晶表示装置１は、ビデオデータライン２Ｒ、２Ｇ、２Ｂと、ゲートドライバ３及びドレインドライバ４と、補助容量バスライン５と、表示領域６で構成されている。ドレインドライバ４は、シフトレジスタ７及び列選択スイッチ８で構成されている。表示領域６は、ゲートドライバ３から行方向に延びるゲートライン９と、ドレインドライバ４から列方向に延びるドレインライン１０と、補助容量バスライン５から行方向に伸びる補助容量ライン１１と、画素領域１２で構成されている。画素領域１２は、ゲートライン９及びドレインライン１０に囲まれた領域であり、１つの画素領域１２につき、ＴＦＴ１３と、画素電極１４と、補助容量１５が設けられている。補助容量１５は、半導体層１３ｓに一体化して形成される補助容量電極１５ａ及び補助容量ライン１１に一体化して連結される補助容量電極１５ｂで構成されている。本実施形態では、全ての画素領域１２に形成された補助容量ライン１１が、コンタクトを介して補助容量連結ライン１６に接続され、大きな網目状の容量を形成している。
【００２２】
ビデオデータライン２Ｒ、２Ｇ、２Ｂは、それぞれ赤（Ｒ）、緑（Ｇ）、青（Ｂ）の信号電圧をドレインドライバ４に伝達する配線である。ゲートドライバ３は、時分割的にゲート電圧を供給するゲートライン９を選択する回路である。ドレインドライバ４は、シフトレジスタ７及び列選択スイッチ８からなり、ビデオデータライン２Ｒ、２Ｇ、２Ｂによって伝達された信号電圧を、シフトレジスタ７により選択されたドレインライン１０の列選択スイッチ８をＯＮにして、そのドレインライン１０に接続されたＴＦＴ１３に信号電圧を伝達する。補助容量バスライン５は、アルミニウム（Ａｌ）からなり、表示領域６の外部において、補助容量ライン１１の端部とコンタクトを介して接続され、全ての補助容量ライン１１を連結する。表示領域６は、複数の画素領域１２を有し、画像を表示する領域である。シフトレジスタ７は、ドレインライン１０を選択し、ビデオデータライン２Ｒ、２Ｇ、２Ｂによって伝達された信号電圧を供給する回路である。列選択スイッチ８は、シフトレジスタ７の選択の有無によってドレインライン１０の電流を制御するスイッチである。ゲートライン９は、クロム（Ｃｒ）からなり、ゲートドライバ３から行方向に延びる配線であり、ゲートライン９から分岐してＴＦＴ１３のゲート１３ｇが形成されている。ゲートドライバ３に選択されたゲートライン９は、選択されたゲートライン９それから分岐したＴＦＴ１３のゲート１３ｇにゲート電圧を伝達する。ドレインライン１０は、補助容量バスライン５と同じ層のアルミニウム（Ａｌ）で形成されてドレインドライバ４から列方向に延びる配線であり、コンタクトを介してＴＦＴ１３のドレインに電気的に接続されている、ＴＦＴ１３に信号電圧を伝達する。補助容量ライン１１は、ゲートライン９と同じ層のクロム（Ｃｒ）から形成され、行方向に並ぶ補助容量電極１５ｂに一体化して連結されている。画素領域１２は、１つの画素を表示する領域であり、ＴＦＴ１３及び画素電極１４及び補助容量１５が配置されている。ＴＦＴ１３は、ゲートライン９から分岐したゲート１３ｇ及び半導体層１３ｓからなり、画素電極１４及び補助容量１５へ信号電圧を供給する電流のＯＮ／ＯＦＦを切り換える。画素電極１４は、供給された信号電圧に応じて、例えば液晶やＥＬを駆動し、映像を表示させる。補助容量１５は、ＴＦＴ１３の半導体層１３ｓから延びてに一体化して形成された補助容量電極１５ａ及びと、補助容量ライン１１の幅を広げてに一体化して連結された補助容量電極１５ｂとからなる容量であり、画素電極１４とともにと共に供給された信号電圧を保持する。補助容量連結ライン１６は、ドレインライン１０及び補助容量バスライン５と同じ層のアルミニウム（Ａｌ）で形成され、コンタクトを介して補助容量ライン１１に接続され、全ての補助容量ライン１１を連結している。
【００２３】
画像を表示する際、ゲートドライバ３により、ゲートライン９に対し、順次選択的にゲート電圧が印加される。あるゲートライン９にゲート電圧が印加されている間に、シフトレジスタ７によって、ドレインライン１０の列選択スイッチ８が順次選択的にＯＮ状態になり、信号電圧を供給する伝達していく。ゲートライン９及びドレインライン１０共に対して同時に電圧が印加されている画素領域１２内のＴＦＴ１３のに接続された画素電極１４及び補助容量１５に対してのみ、信号電圧が印加される。なお、図２本実施形態においても、従来と同様、３本のドレインライン１０の列選択スイッチ８が同時にＯＮ状態となっている。ドレインライン１０は、一定時間を経過するとその選択されていたドレインライン１０の列選択スイッチ８がＯＦＦ状態になり、次に選択されたされるドレインライン１０の列選択スイッチ８がＯＮ状態になってなり、同様の動作を行うが行われる。そして次に、画素電極１４は、印加された信号電圧によって、例えば液晶やＥＬを駆動し、信号電圧に応じた輝度で表示を行う。また、画素電極１４は、信号電圧の印加が終わっても、次に信号電圧が印加されるとき、即ち、次のフレームまで、補助容量１５と共に信号電圧を保持する。
【００２４】
ところで、上述したように、従来、電極や信号線が重なる領域には容量結合が発生する。この容量結合は、画素電極１４及び補助容量１５に信号電圧が印加されている画素領域１２に対応するゲートライン９及びドレインライン１０の交差部分で最も大きく発生する。そして、この容量結合は、信号電圧が印加されている画素電極１４及び補助容量１５を有する画素領域１２にある内の補助容量１５及びそれに連結された補助容量ライン１１及び補助容量１５に対して最も大きな影響を与える。の電位を最も大きく変動させる。これに対し、本実施形態のアクティブマトリクス型液晶表示装置１は、表示領域６の内部において、容量結合の影響を受け、信号電圧が変動した補助容量ライン１１及び補助容量１５に対して、補助容量連結ライン１６を介して他の補助容量ライン１１からも電荷を補い、信号電圧を矯正することができるため、容量結合に起因する画像のムラを解消することができる。
【００２５】
本実施形態では別層として、補助容量ライン１１とコンタクトを介して接続されているが、補助容量連結ライン１６は、補助容量ライン１１と同層の網目状に形成してもよい。ただし、補助容量連結ライン１６は、ゲートライン９との交差が避けられないため、ゲートライン９と同じ層に形成される補助容量ライン１１と同じクロム（Ｃｒ）の層に形成することができない。ない一方で、補助容量ライン１１もまたドレインライン１０との交差が避けられない。従って、補助容量ライン１１と補助容量連結ライン１６とを同じ層に形成しようとすると、ゲートライン９ともドレインライン１０とも同じ層にできないため、新たな層を別に形成しなければならず、新たな工程及び製造コストが増加する。それに比較して、それに比べ、本実施形態では、補助容量連結ライン１６は、補助容量ライン１１とは別の層である。即ち、補助容量ライン１１はゲートライン９と同じクロム（Ｃｒ）、補助容量ライン１６はドレインライン１０と同じアルミニウム（Ａｌ）の層として形成し、コンタクトを介して補助容量ライン１１に接続されている。補助容量連結ライン１６は、ドレインライン１０と同時に形成されているため、補助容量連結ライン１１１６を形成するために特別な工程を増やす必要がない。補助容量連結ライン１６は、補助容量ライン１１とは別の層、即ち、ドレインライン１０と同じアルミニウム（Ａｌ）の層として形成し、コンタクトを介して補助容量ライン１１に接続されている。ところで、別の層に形成され、コンタクトによって連結される配線は、一般的に、コンタクトによって大きな抵抗が加わり、同じ層に形成される配線よりも電荷の移動が遅くなってしまう。しかし、本実施形態における補助容量連結ライン１６は、低抵抗のアルミニウム（Ａｌ）で形成されているため、補助容量ライン１１及びゲートライン９と同じクロム（Ｃｒ）の層で形成される場合よりも電荷の移動が速い。そのため、本実施形態の補助容量ライン１１と補助容量連結ライン１６は、これらが同じクロム（Ｃｒ）の層に形成される場合に比較して、電荷の移動が速い。補助容量連結ライン１６は、容量結合の影響を受け、信号電圧が変動した補助容量１５及び補助容量ライン１１に対して、他の補助容量ライン１１からすばやく電荷を補い、信号電圧を矯正することができる。
【００２６】
本実施形態は、透過型及び反射型の表示装置に用いても同様の効果を奏するが、補助容量連結ライン１６は、金属であるアルミニウム（Ａｌ）で形成されるため、画素電極１４の補助容量連結ライン１６が形成された領域では、図示しないバックライトから入射した光が遮光され、開口率が低下してしまうことから、反射型の表示装置で実施するのが好ましい。
【００２７】
次に、第２の実施形態について図３及び図４を用いて説明する。図３は、第２の実施形態にかかるアクティブマトリクス型カラー液晶表示装置の平面図であり、図４は、その等価回路図である。図３は、配線をわかりやすくするため、図１に比べ、画素領域の構成を省略しているが、これは図１と同様である。その他の構成も、第１の実施形態と同じものについては、図に同じ番号を付し、説明を省略している。
【００２８】
アクティブマトリクス型液晶表示装置１は、ビデオデータライン２Ｒ、２Ｇ、２Ｂと、ゲートドライバ３及びドレインドライバ４と、補助容量バスライン５と、表示領域６で構成されており、ドレインドライバ４は、シフトレジスタ７及び列選択スイッチ８で構成され、表示領域６は、ゲートライン９、ドレインライン１０、補助容量ライン１１及び画素領域１２で構成されていることは、第１の実施形態と同様である。図３に示されるＲ、Ｇ、Ｂは、それぞれの列の画素領域１２が表示する色でありを、Ｒが（赤）、Ｇが（緑）、Ｂが（青）である示している。なお、本実施形態において、画素領域１２では、各画素領域１２は、各画素領域１２に対応して形成された図示しない赤（Ｒ）、緑（Ｇ）、青（Ｂ）のカラーフィルタにより、列単位で赤（Ｒ）、緑（Ｇ）、青（Ｂ）のいずれかの色を表示し、するストライプ状配列である。
【００２９】
本実施形態の特徴的な点は、第１の実施形態とは異なり、各列に補助容量連結ライン１６は配置されておらず、３本につき１本のドレインライン１０の３本につき１本の隣に補助容量連結ライン１６が配置され、コンタクトを介して全ての補助容量ライン１１を連結している点である。
【００３０】
本発明は、全ての画素領域に補助容量連結ラインが配置されている必要はなく、第１の実施形態より補助容量連結ラインの本数が少なくても、近くに配置された補助容量連結ラインを介して他の補助容量ラインから電荷を補い、信号電圧を矯正することができる。また、本実施形態では、第１の実施形態よりも補助容量連結ラインが少ないため、補助容量連結ラインによる開口率の低下を抑えることができる。
【００３１】
ところで、赤（Ｒ）、緑（Ｇ）、青（Ｂ）という光の３原色のうち、人間の目は緑に対する感度が特に高く、他の２色に対する感度は低い。即ち、緑の輝度を他の２色に比べて多少低くしても、人間の目には暗いと認識されない。また、補助容量連結ライン１６が形成され、画素電極１４の開口率が低下すると、その画素領域１２で表示される部分の輝度が低下してしまう。
【００３２】
従って、図３に示すように、本実施形態では、緑（Ｇ）を表示する画素領域１２にのみ、補助容量連結ライン１６を選択的に配置した。これによって、緑（Ｇ）の輝度のみが低下するが、赤（Ｒ）及び青（Ｂ）の輝度は低下しない。従って、表示装置の使用者に開口率の低下を認識させることなく、第１の実施形態と同様の効果を奏することができる。そのため本実施形態は、表示領域の一部における開口率及び輝度の低下を利用して、良好なカラーバランスを得ることができるため、透過型の表示装置であっても、本発明をより効果的に実施することができるものである。
【００３３】
次に、第３の実施形態について図５及び図６を用いて説明する。図５は、第３の実施形態にかかるアクティブマトリクス型液晶表示装置の平面図であり、図６は、その等価回路図である。図５は、配線をわかりやすくするため、図１に比べ、画素領域の構成を省略しているが、これは図１と同様である。第１の実施形態と同じものについては、図に同じ番号を付し、説明を省略する。
【００３４】
アクティブマトリクス型液晶表示装置１は、ビデオデータライン２Ｒ、２Ｇ、２Ｂと、ゲートドライバ３及びドレインドライバ４と、補助容量バスライン５と、表示領域６で構成されており、ドレインドライバ４は、シフトレジスタ７及び列選択スイッチ８で構成され、表示領域６は、ゲートライン９、ドレインライン１０、補助容量ライン１１及び画素領域１２で構成されていることは、第１の実施例と同様である。
【００３５】
本実施形態ではの特徴的な点は、第１の実施形態において、表示領域６の外側に列方向に形成され、コンタクトを介して補助容量ライン１１を連結していた補助容量バスライン５が、行方向にも補助容量連結ライン１６と連続して形成されていることである。
【００３６】
一般的に、補助容量バスライン５は、表示領域６の外部に、ドレインライン１０と同じ低抵抗のアルミニウム（Ａｌ）の層に形成され、全ての補助容量ライン１１の一端とコンタクトを介して接続されている。そのため、補助容量バスライン５自体の抵抗が低くても、それに接続され、表示領域６の内部に配置される補助容量ライン１１は、補助容量バスラインに比較して幅が細く、抵抗の高いクロム（Ｃｒ）で形成されているため抵抗が高く、信号電圧の保持に必要な電荷の伝達が遅いという欠点があった。
【００３７】
しかし、本実施形態における補助容量バスライン５は、低抵抗のアルミニウム（Ａｌ）により、表示領域６の内部で補助容量ライン１１を連結する補助容量連結ライン１６と一体化して形成されている。そのため、本実施形態の補助容量バスライン５及び補助容量連結ライン１６は、全ての補助容量ライン１１に対して、第１の実施形態より多くの電荷をより速く伝達することができる。
【００３８】
本発明にかかるアクティブマトリクス型液晶表示装置は、電圧が印加されているゲートライン及びドレインラインの容量結合によって信号電圧が変動した補助容量及び補助容量ラインが、複数の補助容量ラインを連結する補助容量連結ラインを介して他の補助容量ラインから電荷を補って信号電圧を矯正することができるため、画像のムラを解消することができる。容量結合による信号電圧の変動を防ぐことにより、行方向に隣り合う画素電極に同じ極性の信号電圧を印加する水平反転駆動や対極ＡＣ駆動を用いる表示装置においても、画像のムラを解消することができる。また、回路の構成が複雑になるドット反転駆動や垂直反転駆動を用いる必要がなく、簡単な回路構成ですむため、不良品の発生を抑えて歩留まりを向上させることができる。また、補助容量連結ラインは、ドレインラインと同じ層として、、ドレインラインと同時に形成されるため、新たな工程を増やす必要がない。
【００３９】
なお、各実施形態において、アクティブマトリクス型液晶表示装置を例示したが、本発明はこれに限定されず、アクティブマトリクス型のＥＬ表示装置や、ＴＦＴアレイを用いた指紋センサにも適用することができる。
【００４０】
【発明の効果】
本発明にかかるアクティブマトリクス型表示装置は、表示領域内において、補助容量ラインを連結する補助容量ラインが、補助容量連結ラインによって他の補助容量ラインと電気的に接続されることにより、ドレインラインと補助容量ラインやゲートラインとの容量結合に起因する補助容量及び補助容量ラインの電圧変化を抑制し、この電圧変化が原因で発生する画像のムラを防ぐことができる。そして、補助容量連結ラインが、表示領域の外部に形成される補助容量バスラインに電気的に接続されることにより、抵抗の低い補助容量バスラインを介して、他の補助容量連結ラインからより多くの電荷を速く補い、信号電圧を矯正することができるため、より効果的に画像のムラを防ぐことができる。また、本発明にかかる表示装置には、回路構成が複雑になる垂直ライン反転駆動やドット反転駆動を用いる必要がなく、簡単な回路構成で足りるため、不良品の発生を抑えて歩留まりを向上させることができる。また、補助容量連結ラインは、ドレインラインと同じ層として、ドレインラインと同時に形成されるため、新たな工程を増やす必要がない。
【００４１】
さらに、赤、緑、青の三原色によるカラー表示を行うアクティブマトリクス型表示装置において、緑を表示する画素領域にのみ補助容量連結ラインを選択的に形成して開口率を下げることで、緑の輝度を他の２色より低くすることにより、他の２色に比べて緑に対する感度が高い人間の目に自然なカラーバランスで認識されるカラー表示装置を提供することができる。
【図面の簡単な説明】
【図１】第１の実施形態にかかるアクティブマトリクス型液晶表示装置の平面図である。
【図２】第１の実施形態にかかるアクティブマトリクス型液晶表示装置の等価回路図である。
【図３】第２の実施形態にかかるアクティブマトリクス型液晶表示装置の平面図である。
【図４】第２の実施形態にかかるアクティブマトリクス型液晶表示装置の等価回路図である。
【図５】第３の実施形態にかかるアクティブマトリクス型液晶表示装置の平面図である。
【図６】第３の実施形態にかかるアクティブマトリクス型液晶表示装置の等価回路図である。
【図７】従来のアクティブマトリクス型液晶表示装置の平面図である。
【図８】従来のアクティブマトリクス型液晶表示装置の等価回路図である。
【符号の説明】
１：アクティブマトリクス型液晶表示装置
２：ビデオデータライン
３：ゲートドライバ
４：ドレインドライバ
５：補助容量バスライン
６：表示領域
７：シフトレジスタ
８：列選択スイッチ
９：ゲートライン
１０：ドレインライン
１１：補助容量ライン
１２：画素領域
１３：薄膜トランジスタ（ＴＦＴ）
１４：画素電極
１５：補助容量
１６：補助容量連結ライン
【図１】
0004353660.tif 000002
【図２】
0004353660.tif 000003
【図３】
0004353660.tif 000004
【図４】
0004353660.tif 000005
【図５】
0004353660.tif 000006
【図６】
0004353660.tif 000007
【図７】
0004353660.tif 000008
【図８】
0004353660.tif 000009